(57)【要約】      （修正有）【課題】肌触りの良好な使い捨ておむつを提供する。【解決手段】肌側シート３１と、非肌側シート３２と、肌側シートと非肌側シートとの間に配置された伸縮性不織布３３ａ、３３ｂと、を備えた使い捨ておむつであって、前記肌側シート３１、前記伸縮性不織布３３ａ，３３ｂ、及び前記非肌側シート３２は、点在する複数の接合部２４２によって接合されており、前記伸縮性不織布３３ａ、３３ｂを横方向に伸長させた場合に、前記伸縮性不織布３３ａ，３３ｂには、前記横方向に収縮力を発現する低収縮領域３３ｂと、前記低収縮領域よりも大きな収縮力を発現する高収縮領域３３ａとが、前記横方向に沿って所定のピッチＬ３３で交互に形成されており、前記横方向において隣り合う２つの前記接合部２４２の、前記横方向における間隔Ｐ２４２の最小値は、前記横方向における前記低収縮領域の前記所定のピッチＬ３３よりも長い。【選択図】図９
2018000478.tif 000002
【特許請求の範囲】
【請求項１】
横方向と、厚さ方向とを有し、
前記厚さ方向の肌側に位置する肌側シートと、
前記厚さ方向の非肌側に位置する非肌側シートと、
前記厚さ方向における前記肌側シートと前記非肌側シートとの間に配置された伸縮性不織布と、
を備えた使い捨ておむつであって、
前記厚さ方向において、前記肌側シート、前記伸縮性不織布、及び前記非肌側シートは、点在する複数の接合部によって接合されており、
前記伸縮性不織布は、伸縮性を有する伸縮性繊維、及び前記伸縮性繊維よりも収縮性の低い伸長性繊維を含み、
前記伸縮性不織布を前記横方向に伸長させた場合に、前記伸縮性不織布には、前記横方向に収縮力を発現する低収縮領域と、前記低収縮領域よりも大きな収縮力を発現する高収縮領域とが、前記横方向に沿って所定のピッチで交互に形成されており、
前記横方向において隣り合う２つの前記接合部の、前記横方向における間隔の最小値は、
前記横方向における前記低収縮領域の前記所定のピッチよりも長い、ことを特徴とする使い捨ておむつ。
【請求項２】
請求項１に記載の使い捨ておむつであって、
前記伸縮性不織布は、前記横方向において隣り合う２つの前記接合部の間に、前記低収縮領域が少なくとも２箇所配置されている部分を有する、ことを特徴とする使い捨ておむつ。
【請求項３】
請求項２に記載の使い捨ておむつであって、
前記伸縮性不織布の単位面積あたりについて、前記横方向において隣り合う２つの前記接合部の間に、前記低収縮領域が少なくとも２箇所配置されている割合は、
前記伸縮性不織布の単位面積あたりについて、前記横方向において隣り合う２つの前記接合部の間に、前記低収縮領域が１箇所配置されている部分の割合よりも小さい、ことを特徴とする使い捨ておむつ。
【請求項４】
請求項１〜３のいずれかに記載の使い捨ておむつであって、
前記横方向と交差する上下方向を有し、
着用する際に着用者の胴回りに位置する胴回り部、を備え、
前記上下方向において、
前記伸縮性不織布の繊維密度は、前記胴回り部の中央部より、前記伸縮性不織布の上端部の方が高い、ことを特徴とする使い捨ておむつ。
【請求項５】
請求項１〜４のいずれかに記載の使い捨ておむつであって、
前記横方向と交差する上下方向を有し、
着用する際に着用者の胴回りに位置する胴回り部、を備え、
前記胴回り部の上端部には、前記横方向に沿った複数の弾性部材が前記上下方向に所定の間隔を空けて設けられており、
前記上下方向において隣り合う２つの前記弾性部材の前記上下方向における間隔は、前記横方向において隣り合う２つの前記接合部の前記横方向における間隔よりも広い、ことを特徴とする使い捨ておむつ。
【請求項６】
請求項１〜５のいずれかに記載の使い捨ておむつであって、
前記横方向と交差する上下方向を有し、
前記複数の接合部は、前記横方向及び前記上下方向に所定の間隔を有しつつ、千鳥状に配置されている、ことを特徴とする使い捨ておむつ。
【請求項７】
請求項１〜６のいずれかに記載の使い捨ておむつであって、
吸収性本体と、前身頃部と、後身頃部とを有し、
前記前身頃部及び前記後身頃部を接合する複数の端部接合部を有しており、
前記複数の端部接合部が点在している端部接合領域が設けられており、
前記吸収性本体の非肌側と、前記肌側シート、前記伸縮性不織布、及び前記非肌側シートとが接合された吸収性本体接合領域が設けられており、
前記吸収性本体接合領域に位置する前記肌側シート、前記伸縮性不織布、及び前記非肌側シートには、前記複数の接合部が点在している第１点在領域が設けられており、
前記第１点在領域の単位面積当たりの前記複数の接合部の面積の合計が、前記端部接合領域の単位面積当たりの前記端部接合部の面積の合計より小さい、ことを特徴とする使い捨ておむつ。
【請求項８】
請求項１〜７のいずれかに記載の使い捨ておむつであって、
吸収性本体を有しており、
前記吸収性本体の非肌側と、前記肌側シート、前記伸縮性不織布、及び前記非肌側シートとが接合された吸収性本体接合領域が設けられており、
前記吸収性本体接合領域に位置する前記肌側シート、前記伸縮性不織布、及び前記非肌側シートには、前記複数の接合部が点在している第１点在領域が設けられており、
胴回り部のうちの少なくとも上端部よりも下方であって、前記第１点在領域と重複しない領域には、前記肌側シート、前記非肌側シート、及び前記伸縮性不織布を接合する前記複数の接合部が点在している第２点在領域が設けられており、
単位面積当たりの前記複数の接合部の面積の合計は、前記第１点在領域の方が前記第２点在領域より小さい、ことを特徴とする使い捨ておむつ。
【請求項９】
請求項１〜８のいずれかに記載の使い捨ておむつであって、
前記伸縮性不織布は、前記伸縮性繊維としてのポリウレタン、及び前記伸長性繊維としてのポリオレフィンを含む、ことを特徴とする使い捨ておむつ。
【発明の詳細な説明】
【技術分野】
【０００１】
本発明は、使い捨ておむつに関する。
【背景技術】
【０００２】
従来、伸縮性シートと非伸縮性シートとを厚さ方向に積層し、間欠的に配設された多数の固着部により両者を接合したシート部材を用いて形成された紙おむつが知られている。例えば、特許文献１には、裏面が伸縮性シートと非伸縮性不織布とによって形成された使い捨ておむつが開示されている。
【先行技術文献】
【特許文献】
【０００３】
【特許文献１】特開平１０−９９３７３号公報
【発明の概要】
【発明が解決しようとする課題】
【０００４】
特許文献１に記載の使い捨ておむつでは、伸縮性シートが収縮するのに応じて非伸縮性不織布を同じ方向に収縮させ、該非伸縮性不織布の表面から厚さ方向に突出する複数の襞（ひだ）を形成させることによって、裏面シートの肌触りを柔軟なものにすることができる。しかしながら、このような襞は、おむつ着用時等において外力が加わることによって簡単に潰れてしまい、肌触りを十分に向上させることは難しかった。
【０００５】
本発明は、上記のような問題に鑑みてなされたものであって、その目的とするところは、肌触りの良好な使い捨ておむつを提供することにある。
【課題を解決するための手段】
【０００６】
上記目的を達成するための主たる発明は、横方向と、厚さ方向とを有し、前記厚さ方向の肌側に位置する肌側シートと、前記厚さ方向の非肌側に位置する非肌側シートと、前記厚さ方向における前記肌側シートと前記非肌側シートとの間に配置された伸縮性不織布と、を備えた使い捨ておむつであって、前記厚さ方向において、前記肌側シート、前記伸縮性不織布、及び前記非肌側シートは、点在する複数の接合部によって接合されており、前記伸縮性不織布は、伸縮性を有する伸縮性繊維、及び前記伸縮性繊維よりも収縮性の低い伸長性繊維を含み、前記伸縮性不織布を前記横方向に伸長させた場合に、前記伸縮性不織布には、前記横方向に収縮力を発現する低収縮領域と、前記低収縮領域よりも大きな収縮力を発現する高収縮領域とが、前記横方向に沿って所定のピッチで交互に形成されており、前記横方向において隣り合う２つの前記接合部の、前記横方向における間隔の最小値は、前記横方向における前記低収縮領域の前記所定のピッチよりも長い、ことを特徴とする使い捨ておむつである。
本発明の他の特徴については、本明細書及び添付図面の記載により明らかにする。
【発明の効果】
【０００７】
本発明によれば、肌触りの良好な使い捨ておむつを提供することが可能である。
【図面の簡単な説明】
【０００８】
【図１】本発明の実施形態に係るおむつの一構成例を示す概略斜視図である。
【図２】展開かつ伸長状態のおむつを厚さ方向の非肌側から見た概略平面図である。
【図３】図２のIII−III線断面模式図である。
【図４】伸縮性不織布３３の製造方法の一例について説明する図である。
【図５】図４中の領域αについて拡大して示す図である。
【図６】伸縮性不織布３３の構造について説明する厚さ方向の断面模式図である。
【図７】展開かつ伸長状態のおむつ１において、第１溶着部２４１，第２溶着部２４２について説明する図である。
【図８】比較例に係るおむつの胴回り部の一部の断面模式図である。
【図９】図９Ａ及び図９Ｂは、おむつ１の前身頃部３０において、伸縮性不織布３３が収縮する際の様子について説明する断面模式図である。
【発明を実施するための形態】
【０００９】
本明細書及び添付図面の記載により、少なくとも以下の事項が明らかとなる。
【００１０】
横方向と、厚さ方向とを有し、前記厚さ方向の肌側に位置する肌側シートと、前記厚さ方向の非肌側に位置する非肌側シートと、前記厚さ方向における前記肌側シートと前記非肌側シートとの間に配置された伸縮性不織布と、を備えた使い捨ておむつであって、前記厚さ方向において、前記肌側シート、前記伸縮性不織布、及び前記非肌側シートは、点在する複数の接合部によって接合されており、前記伸縮性不織布は、伸縮性を有する伸縮性繊維、及び前記伸縮性繊維よりも収縮性の低い伸長性繊維を含み、前記伸縮性不織布を前記横方向に伸長させた場合に、前記伸縮性不織布には、前記横方向に収縮力を発現する低収縮領域と、前記低収縮領域よりも大きな収縮力を発現する高収縮領域とが、前記横方向に沿って所定のピッチで交互に形成されており、前記横方向において隣り合う２つの前記接合部の、前記横方向における間隔の最小値は、前記横方向における前記低収縮領域の前記所定のピッチよりも長い、ことを特徴とする使い捨ておむつ。
【００１１】
このような使い捨ておむつによれば、横方向に隣り合う２つの溶着部の間に伸縮性不織布の低収縮領域が必ず１箇所以上配置され、高収縮領域が２箇所以上配置される。そして、高収縮領域が横方向に収縮する際に厚さ方向に突出した凸部が２箇所以上形成される。この凸部によって肌側シート及び非肌側シートの襞が厚さ方向に支持され、また外部からの力に対するクッションとして機能することから、当該襞が潰れにくくなり、使い捨ておむつ着用時における肌触りを良好なものとすることができる。
【００１２】
かかる使い捨ておむつであって、前記伸縮性不織布は、前記横方向において隣り合う２つの前記接合部の間に、前記低収縮領域が少なくとも２箇所配置されている部分を有する、ことが望ましい。
【００１３】
このような使い捨ておむつによれば、横方向に隣り合う２つの溶着部の間に伸縮性不織布の低収縮領域が２箇所以上配置される。したがって、高収縮領域が３箇所以上配置されることにより、該高収縮領域が収縮する際に凸部が３箇所以上形成される。これにより、クッション性が高くなり、肌側シート及び非肌側シートによって形成される襞がより潰れにくくなる。したがって、おむつ着用時における肌触りをより良好なものとすることができる。
【００１４】
かかる使い捨ておむつであって、前記伸縮性不織布の単位面積あたりについて、前記横方向において隣り合う２つの前記接合部の間に、前記低収縮領域が少なくとも２箇所配置されている割合は、前記伸縮性不織布の単位面積あたりについて、前記横方向において隣り合う２つの前記接合部の間に、前記低収縮領域が１箇所配置されている部分の割合よりも小さい、ことが望ましい。
【００１５】
このような使い捨ておむつによれば、横方向に隣り合う２つの溶着部の間に剛性の高い低収縮領域が２箇所以上配置される割合が少なくなることから、着用者に固い感触を抱かせにくくすることができる。これにより、おむつ着用時における肌触りをより良好なものとすることができる。
【００１６】
かかる使い捨ておむつであって、前記横方向と交差する上下方向を有し、着用する際に着用者の胴回りに位置する胴回り部、を備え、前記上下方向において、前記伸縮性不織布の繊維密度は、前記胴回り部の中央部より、前記伸縮性不織布の上端部の方が高い、ことが望ましい。
【００１７】
このような使い捨ておむつによれば、伸縮性不織布の上端部の繊維密度をより高くすることで、着用者が着用しようとする際に使い捨ておむつの上端部を引き上げても破れたりする等の破損するおそれを軽減することができる。一方、胴回り部の中央部の伸縮性不織布の繊維密度をより小さくすることで、腹周りの通気性を向上させることができる。
【００１８】
かかる使い捨ておむつであって、前記横方向と交差する上下方向を有し、着用する際に着用者の胴回りに位置する胴回り部、を備え、前記胴回り部の上端部には、前記横方向に沿った複数の弾性部材が前記上下方向に所定の間隔を空けて設けられており、前記上下方向において隣り合う２つの前記弾性部材の前記上下方向における間隔は、前記横方向において隣り合う２つの前記接合部の前記横方向における間隔よりも広い、ことが望ましい。
【００１９】
このような使い捨ておむつによれば、弾性部材の配置間隔を広くすることで、胴回り部の上端部において単位面積当たりに作用する横方向の収縮力が大きくなり過ぎないようにして、胴回り部の上端部に大きな皺を形成することができる。これにより、該胴回り部の上端部における通気性が良好なものとなり、着用者に不快感を与えにくくすることができる。
【００２０】
かかる使い捨ておむつであって、前記横方向と交差する上下方向を有し、前記複数の接合部は、前記横方向及び前記上下方向に所定の間隔を有しつつ、千鳥状に配置されている、ことが望ましい。
【００２１】
このような使い捨ておむつによれば、胴回り部（前身頃部、後見頃部）が横方向のみならず上下方向にも伸縮可能となる。したがって、おむつ着用時において、胴回り部が着用者の身体形状に応じて横方向及び上下方向に自在に伸縮することにより、着用者の身体にフィットしやすくなる。
【００２２】
かかる使い捨ておむつであって、  吸収性本体と、前身頃部と、後身頃部とを有し、前記前身頃部及び前記後身頃部を接合する複数の端部接合部を有しており、前記複数の端部接合部が点在している端部接合領域が設けられており、前記吸収性本体の非肌側と、前記肌側シート、前記伸縮性不織布、及び前記非肌側シートとが接合された吸収性本体接合領域が設けられており、前記吸収性本体接合領域に位置する前記肌側シート、前記伸縮性不織布、及び前記非肌側シートには、前記複数の溶着部が点在している第１点在領域が設けられており、前記第１点在領域の単位面積当たりの前記複数の溶着部の面積の合計が、前記端部接合領域の単位面積当たりの前記端部接合部の面積の合計より小さい、ことが望ましい。
【００２３】
このような使い捨ておむつによれば、第１点在領域の単位面積当たりの複数の溶着部の面積の合計を、端部接合領域の単位面積当たりの端部接合部の面積の合計より小さくすることにより、端部接合領域における接合強度の確保と、第１点在領域における通気性の確保を両立させることが可能となる。
【００２４】
かかる使い捨ておむつであって、吸収性本体を有しており、前記吸収性本体の非肌側と、前記肌側シート、前記伸縮性不織布、及び前記非肌側シートとが接合された吸収性本体接合領域が設けられており、前記吸収性本体接合領域に位置する前記肌側シート、前記伸縮性不織布、及び前記非肌側シートには、前記複数の溶着部が点在している第１点在領域が設けられており、胴回り部のうちの少なくとも上端部よりも下方であって、前記第１点在領域と重複しない領域には、前記肌側シート、前記非肌側シート、及び前記伸縮性不織布を接合する前記複数の溶着部が点在している第２点在領域が設けられており、単位面積当たりの前記複数の溶着部の面積の合計は、前記第１点在領域の方が前記第２点在領域より小さい、ことが望ましい。
【００２５】
このような使い捨ておむつによれば、単位面積当たりの複数の溶着部の面積の合計を、第１点在領域の方が第２点在領域より小さくすることにより、吸収体本体が横方向に縮むことを抑制しつつも、使い捨ておむつ全体として適切な通気性を確保することが可能となる。
【００２６】
かかる使い捨ておむつであって、前記伸縮性不織布は、前記伸縮性繊維としてのポリウレタン、及び前記伸長性繊維としてのポリオレフィンを含む、ことが望ましい。
【００２７】
このような使い捨ておむつによれば、伸縮性不織布がポリオレフィンを含有することで、肌側シート及び非肌側シートとの溶着性を向上させ、ポリウレタンを含有することで、伸縮性不織布の上下及び左右方向への伸縮性を向上させることができる。
【００２８】
＝＝＝実施形態＝＝＝
本発明の実施形態に係る使い捨ておむつ（以下では、単に「おむつ１」とする）の一例として、主に高齢者を対象としたパンツ型の使い捨ておむつについて説明する。
【００２９】
＜おむつ１の基本的構造＞
図１は、本実施形態に係るおむつ１の一構成例を示す概略斜視図である。図２は、展開かつ伸長状態のおむつ１を厚さ方向の非肌側から見た概略平面図である。図３は、図２のIII−III線断面模式図である。
【００３０】
おむつ１は、図１及び図２に示すように、「上下方向」と、上下方向に交差する「横方向」と、を有すると共に、図３に示すように、各部材が積層された方向である「厚さ方向」を有する。上下方向のうち、着用者がおむつ１を着用した状態において着用者の胴側となる方を「上側」とし、着用者の股下となる方を「下側」とする。厚さ方向のうち、着用者がおむつ１を着用した状態において着用者の肌と接触する側を「肌側」とし、その反対側を「非肌側」とする。以下では、厚さ方向の肌側を単に「肌側」とし、厚さ方向の非肌側を単に「非肌側」とする。また、おむつ１は、図１に示すように、着用する際に着用者の腹側となる方を「前側」とし、着用者の背側となる方を「後側」とする「前後方向」を有している。
【００３１】
図１に示すように、おむつ１は、着用時において着用者の腹側に対応する前身頃部３０と、着用者の背側（臀部を含む）に対応する後身頃部４０と、着用者の股下に対応する股下部５０と、を有する。このおむつ１は、尿等の液体を吸収する帯状の吸収性本体１０と、吸収性本体１０の非肌側に位置する外装体２０と、を備えており、外装体２０が、前身頃部３０と、後身頃部４０と、股下部５０と、を有している。
【００３２】
図２に示すように、おむつ１を展開して伸長させた状態において、股下部５０は、前身頃部３０と後身頃部４０との間に架け渡されるように設けられ、例えば接着剤等によって前身頃部３０及び後身頃部４０のそれぞれに接合されている。また、図３に示すように、股下部５０は、前身頃部３０及び後身頃部４０よりも肌側に位置している。
【００３３】
なお、おむつ１の「伸長状態」とは、おむつ１が備える各弾性部材（例えば、糸ゴムや伸縮性を有するシート部材）を伸長させることにより、おむつ１全体（製品全体）を皺なく伸長させた状態、具体的には、おむつ１を構成する各部材（例えば、前身頃部３０及び後身頃部４０や股下部５０を構成するシート部材等）の寸法がその部材単体の寸法と一致又はそれに近い寸法になるまで伸長させた状態のことを言う。
【００３４】
吸収性本体１０は、長手方向の一端側が前身頃部３０に位置し、他端側が後身頃部４０に位置しており、厚さ方向において前身頃部３０、後身頃部４０、及び股下部５０と重なるように、例えば接着剤等によって外装体２０に接合されている。
【００３５】
おむつ１は、図２に示す展開状態から、吸収性本体１０の長手方向における所定位置ＣＬ（図２において一点鎖線で示す）を折り位置として吸収性本体１０及び外装体２０が２つ折りされる。当該二つ折りの状態において、前身頃部３０の横方向の両端部に設けられた端部接合領域３０ｅと、後身頃部４０の横方向の両端部に設けられた端部接合領域４０ｅとが、それぞれ接合され端部接合部が形成される。これにより、前身頃部３０と後身頃部４０とが環状につながって、図１に示すような１つの胴回り開口１ａ及び一対の脚回り開口１ｂが形成され、パンツ型のおむつとなる。
【００３６】
図１及び図２に示すように、端部接合領域３０ｅ，４０ｅは、上下方向に沿って設けられており、前身頃部３０の端部接合領域３０ｅと後身頃部４０の端部接合領域４０ｅとの接合手段としては、例えば超音波溶着等が挙げられる。
【００３７】
吸収性本体１０は、図２に示すように、短手方向（短辺）がおむつ１の横方向に沿った平面視略長方形状である。そして、図３に示すように、吸収性本体１０は、長手方向に沿った吸収性コア１１と、吸収性コア１１の肌側に配置されたトップシート１２と、吸収性コア１１の非肌側に配置されたバックシート１３と、を有している。
【００３８】
吸収性コア１１は、尿等の液体を吸収して保持する部材であり、例えば高吸収性ポリマー（ＳＡＰ）が混入したパルプ繊維等の液体吸収性繊維により形成される。なお、吸収性コア１１は、ティッシュペーパーや不織布等の液透過性のシート部材によって、外周面が覆われていても良い。
【００３９】
トップシート１２は、着用時において着用者の肌に接触し得る液透過性のシート部材であり、例えば親水性のエアスルー不織布やスパンボンド不織布等により形成される。バックシート１３は、吸収性コア１１に吸収された尿等の液体が外部に漏れ出すことを抑制するための液不透過性シート１３ａと、液不透過性シート１３ａの非肌側に配置された液透過性シート１３ｂと、を備えた二層構造で形成されている。液不透過性シート１３ａとしては、例えば樹脂フィルム等が用いられ、液透過性シート１３ｂとしては、例えば柔軟性を有する不織布等が用いられる。
【００４０】
吸収性本体１０の横方向の両端部にはそれぞれ、長手方向に沿った弾性部材が横方向に間隔を空けて複数設けられている（図１参照）。弾性部材には例えば糸ゴム等を用いることができ、弾性部材が長手方向に収縮することにより吸収性本体１０が着用者の脚回りに沿って収縮してフィットする。これにより、尿等の漏れを抑制することが可能となる。なお、図２では、説明の便宜上、当該弾性部材の図示を省略している。
【００４１】
外装体２０は、図２に示すように、股下部５０において横方向内側に向かって最も括れており、当該最も括れた部分では、横方向における股下部５０の外側に吸収性本体１０が露出している。股下部５０は、具体的に、長手方向の中央部分が横方向内側に括れた略砂時計状であり、図３に示すように、厚さ方向に積層された２枚の不織布５１，５２を有している。
【００４２】
前身頃部３０及び後身頃部４０はそれぞれ、上下方向において、端部接合領域３０ｅ，４０ｅが設けられた領域では横方向に長辺を有する略長方形状であり、端部接合領域３０ｅ，４０ｅの下端よりも下側（股下部５０側）では略等脚台形状を有している。この略等脚台形は、台形の脚となる一組の対辺（横方向の外縁）が、股下部５０側に向かうにつれて横方向外側から内側へ傾斜している。
【００４３】
以下の説明において、前身頃部３０のうち、上下方向において、端部接合領域３０ｅが設けられた領域（略長方形状の領域）を前身頃胴回り側領域３０１とし、前身頃胴回り側領域３０１よりも下側の領域（略等脚台形状の領域）を前身頃股下側領域３０２とする。なお、前身頃胴回り側領域３０１は、おむつ１を着用する際に着用者の腹側胴回りに位置する腹側胴回り部の一態様である。また、前身頃部３０と同様に、後身頃部４０のうち、上下方向において、端部接合領域４０ｅが設けられた領域（略長方形状の領域）を後身頃胴回り側領域４０１とし、後身頃胴回り側領域４０１よりも下側の領域（略等脚台形状の領域）を後身頃股下側領域４０２とする。
【００４４】
前身頃部３０及び後身頃部４０は、図３に示すように、肌側に位置する肌側シート３１，４１と、非肌側に位置する非肌側シート３２，４２と、厚さ方向における肌側シート３１，４１と非肌側シート３２，４２との間に設けられた伸縮性不織布３３，４３とを、それぞれ備えている。なお、前身頃部３０及び後身頃部４０において、肌側シート３１，４１、非肌側シート３２，４２、及び伸縮性不織布３３，４３の構成についてはほぼ同様であるため、以下の説明では前身頃部３０の肌側シート３１、非肌側シート３２、及び伸縮性不織布３３の構成を例に挙げて説明する。
【００４５】
肌側シート３１及び非肌側シート３２はそれぞれ、例えばスパンボンド不織布やＳＭＳ不織布等により形成された柔軟なシート部材である。本実施形態では、肌側シート３１の剛性が非肌側シート３２の剛性よりも低い。このように、着用者の肌に直接的に接触する側のシート部材である肌側シート３１が非肌側シート３２よりも柔らかくすることにより、肌触りが良く、おむつ１の装着性が向上する。
【００４６】
ここで、「剛性」とは、肌側シート３１及び非肌側シート３２が外力を受けた場合の変形のしやすさを言い、剛性の高低を比較するための剛性値としては、例えば、ガーレー剛軟度によって測定された値をサンプル片の長さで割った値を例示できる。ガーレー剛軟度の測定は、(株)安田精機製作所製のＮｏ３１１のガーレー式柔軟度試験機を用いて、ＪＩＳ−Ｌ１０９６に準拠して測定することが可能である。
【００４７】
伸縮性不織布３３は、伸縮性を有する伸縮性繊維、及び伸縮性繊維よりも収縮性の低い伸長性繊維を含んでおり、ギア延伸等の適宜な延伸処理が施された不織布である。本実施形態では、伸縮性繊維として、弾性を有する熱可塑性エラストマーの一種であるポリウレタン系エラストマーの繊維が用いられ、伸長性繊維として、非弾性を有する熱可塑性樹脂の一種であるポリオレフィン系樹脂のポリプロピレン（ＰＰ）の繊維が用いられている。
【００４８】
図４は、伸縮性不織布３３の製造方法の一例について説明する図である。図５は、図４中の領域αについて拡大して示す図である。図６は、伸縮性不織布３３の構造について説明する厚さ方向の断面模式図である。
【００４９】
伸縮性不織布３３は、図４に示されるようなギア加工装置１００を用いて、連続するシート部材（不織布連続シートＳａとする）に延伸処理を施すことによって製造することができる。ギア加工装置１００は、１対のギアロール１０１及び１０２を有する。ギアロール１０１及び１０２は、互いの外周面を対向させつつ回転軸回りに回転する上下一対のロール機構である。ギアロール１０１の外周面には、それぞれ回転方向に沿って山部１０１ｍと谷部１０１ｖとが交互に形成されているとともに、各山部１０１ｍ及び各谷部１０１ｖは、それぞれ、回転軸方向に延びて形成されている。また、ギアロール１０２の外周面にも同様の山部１０２ｍと谷部１０２ｖとが交互に形成されている。ギアロール１０１及び１０２が回転しているときには、一方のギアロール１０１の山部１０１ｍが他方のギアロール１０２の谷部１０２ｖに入り込むように互いの山部１０１ｍと谷部１０２ｖとが若干の隙間をもって噛み合うようになっている。そして、当該回転中に、１対のギアロール１０１及び１０２の間を不織布連続シートＳａが搬送方向に沿って通過する。
【００５０】
１対のギアロール１０１及び１０２の間を通過中の不織布連続シートＳａは、一方のギアロール１０２において互いに隣り合う山部１０２ｍ，１０２ｍ同士と、その間の谷部１０２ｖに入り込む他方のギアロール１０１の山部１０１ｍとによって、三点曲げ状に変形される（図５参照）。このとき、不織布連続シートＳａにおいて一方のギアロール１０２の山部１０２ｍの頂面と当接する部分Ｓａ１２は、当該頂面に概ね相対移動不能に当接するため、延伸されにくい。一方、隣り合う２つのＳａ１２，Ｓａ１２同士の間の部分Ｓａ１１は、山部１０１ｍの入り込みに基づいて延伸される。
【００５１】
その結果、不織布連続シートＳａは、延伸された第１部分Ｓａ１１と、第１部分Ｓａ１１よりも延伸されていない第２部分Ｓａ１２とが搬送方向に交互に並ぶように加工される。そして、第１部分Ｓａ１１の領域では、不織布連続シートＳａを構成する伸長性繊維が部分的に引き延ばされる。つまり、１対のギアロール１０１及び１０２の間を通過することにより、不織布連続シートＳａにおいて、少なくとも一部の伸長性繊維が伸長された状態となる。これにより伸長性繊維は、伸縮性繊維の弾性的な変形を阻害し得ない状態となり、不織布連続シートＳａは伸縮性繊維２の弾性変形に基づいて伸縮性を発現する。
【００５２】
これにより、延伸された第１部分Ｓａ１１が、横方向（図４における搬送方向に相当）に所定の収縮力を発現する高収縮領域３３ａとなり、第２部分Ｓａ１２が、高収縮領域よりも収縮力の小さい低収縮領域３３ｂとなって、伸縮性不織布３３が製造される。図６に示されるように、高収縮領域３３ａと低収縮領域３３ｂとは、伸縮性不織布３３を横方向に伸長させた状態において、所定のピッチＬ３３で交互に形成されている。当該ピッチはギアロール１０１，１０２の山部１０１ｍ，１０２ｍの高さやギアピッチを変更することによって調整することができる。
【００５３】
なお、図４の例では、所定方向（横方向）にのみ延伸処理が行われているため、伸縮性不織布３３は、所定方向（横方向）に大きく伸縮性を発現するが、すべての繊維の配向が所定方向に沿っているとは限らないため、所定方向と直交する方向（上下方向）にも伸縮性を発現する。
【００５４】
図２及び図３に示すように、前身頃部３０及び後身頃部４０はそれぞれ、上端から上下方向に所定の幅を有する上端領域３００，４００を有している。上端領域３００，４００では、非肌側シート３２，４２の上端部が肌側へ折り返されて、肌側シート３１，４１の肌側に位置している。肌側シート３１，４１及び伸縮性不織布３３，４３の上端は、折り返し位置３０Ｌ，４０Ｌに位置しておらず、折り返し位置３０Ｌ，４０Ｌと肌側シート３１，４１及び伸縮性不織布３３，４３の上端との間にはそれぞれ隙間を有している。当該隙間には、横方向に沿って伸縮可能な糸ゴム３０ａ，４０ａが上下方向に間隔を空けて複数設けられている。
【００５５】
このように、上端領域３００，４００に複数の糸ゴム３０ａ，４０ａを設けることによって胴回り開口１ａの周辺部におけるおむつ１のフィット性を向上させて、おむつ１の上下方向のずれ落ちを抑制することができる。一方、複数の糸ゴム３０ａ，４０ａが配置された部分よりも下側では、伸縮性不織布３３，４３によって面全体で緩やかに着用者の肌にフィットさせることができる。また、複数の糸ゴム３０ａ，４０ａが設けられた部分では肌側シート３１，４１が設けられていないため、複数の糸ゴム３０ａ，４０ａの伸縮力が着用者に伝わりやすくなっている。
【００５６】
なお、本実施形態では、伸縮性不織布３３，４３は、上端領域３００，４００のうち複数の糸ゴム３０ａ，４０ａが配置された領域を除く前身頃部３０及び後身頃部４０の全域
及び、脚回り開口１ｂの縁を含む脚回り開口１ｂに沿った所定の領域である脚回り領域２５（図２参照）に設けられている。
【００５７】
図７は、展開かつ伸長状態のおむつ１において、第１溶着部２４１，第２溶着部２４２について説明する図である。同図７に示すように、前身頃部３０及び後身頃部４０はそれぞれ、肌側シート３１，４１、伸縮性不織布３３，４３、及び非肌側シート３２，４２を厚さ方向に接合する複数の接合部である第１溶着部２４１が点在する第１点在領域Ｘ、及び複数の接合部である第２溶着部２４２が点在する第２点在領域Ｙを有している。
【００５８】
おむつ１において、前身頃部３０及び後身頃部４０は、吸収性本体１０の非肌側と、肌側シート３１、伸縮性不織布３３、及び非肌側シート３２とが接合された吸収性本体接合領域を有している。そして、この吸収性本体接合領域において複数の第１溶着部２４１が点在している領域が第１点在領域Ｘである。
【００５９】
複数の第１溶着部２４１は、肌側シート３１，４１、伸縮性不織布３３，４３、及び非肌側シート３２，４２に対して超音波振動及び圧力を加えて超音波接合された部分である。第１溶着部２４１は、略同一の大きさの略長方形状に形成されており、横方向に沿って直立した当該略長方形を４５°傾けたものと、−４５°傾けたものが規則正しくそれぞれ配置されている。複数の第１溶着部２４１は、肌側シート３１，４１、伸縮性不織布３３，４３、及び非肌側シート３２，４２を厚さ方向に接合しつつ、吸収性本体１０の過剰な収縮を抑制して、尿等の排泄物が外部に漏れるのを防いでいる。また、図７に示されるように、横方向において隣り合う２つの第１溶着部２４１の、横方向における間隔をＰ２４１とする。同図７ではＰ２４１が一定となるように第１溶着部２４１が形成されているが、Ｐ２４１は必ずしも一定でなくても良い。横方向において隣り合う２つの第１溶着部２４１の横方向における間隔が一定でない場合は、その最小値をＰ２４１とする。
【００６０】
第２点在領域Ｙは、前身頃部３０及び後身頃部４０のうち第１点在領域Ｘ（吸収性本体接合領域）を除いた領域であって、複数の第２溶着部２４２が点在している領域である。
【００６１】
複数の第２溶着部２４２は、複数の第１溶着部２４１と同様に、肌側シート３１，４１、伸縮性不織布３３，４３、及び非肌側シート３２，４２に対して超音波振動及び圧力を加えて超音波接合された部分である。第２溶着部２４２は、略同一の大きさの円形状に形成されており、第２点在領域Ｙにおいて等間隔に略均一に分布している。また、図７に示されるように、横方向において隣り合う２つの第２溶着部２４２の、横方向における間隔をＰ２４２する。そして、横方向において隣り合う２つの第２溶着部２４２の横方向における間隔が一定でない場合は、その最小値をＰ２４２とする。
【００６２】
なお、本実施形態では、伸縮性不織布３３，４３がポリオレフィンを含有しているため、肌側シート３１，４１及び非肌側シート３２，４２との溶着性を向上させることができる。特に、肌側シート３１，４１及び非肌側シート３２，４２がそれぞれ、ポリオレフィン系の繊維であるＰＰ繊維の不織布であり、伸縮性不織布３３，４３に含有されている伸長性繊維がポリオレフィン系樹脂のポリプロピレン（ＰＰ）であるため、溶着時の溶融においてより強固に溶着される。また、伸縮性繊維がポリウレタンであることにより、伸縮性不織布３３，４３に上下方向及び横方向への伸縮性を与えることができる。
【００６３】
＜伸縮性不織布の収縮について＞
図８は、比較例に係るおむつの胴回り部の一部の断面模式図である。比較例に係るおむつでは、厚さ方向の肌側から順に、肌側シート９１、伸縮フィルム９３、非肌側シート９２が設けられ、複数の溶着部２４５によって３枚のシート部材が厚さ方向に接合されている。この状態で伸縮フィルム９３が横方向に収縮すると、横方向に隣り合う２つの溶着部２４５,２４５の間隔が小さくなる。このとき、肌側シート９１及び非肌側シート９２は伸縮フィルム９３よりも伸縮性が小さいため、溶着部２４５,２４５の間で肌側シート９１が肌側に向かって湾曲しながら突出する。同様に、非肌側シート９２が非肌側に向かって湾曲しながら突出する。これにより、厚さ方向に突出する襞ｆ９０が形成される。その結果、肌側シート９１と伸縮フィルム９３との間、非肌側シート９２と伸縮フィルム９３との間にそれぞれ空隙が生じる。したがって、例えば、比較例に係るおむつの胴回り部が着用者の肌に接触したときに、図８中の矢印で示した部分のように肌側シート９１又は非肌側シート９２による襞ｆ９０がそれぞれ伸縮フィルム９３側へ簡単に凹んでしまう場合があった。そして、このような場合、肌触りが悪い部分が生じたり、フィルム特有のカサカサとした感触を生じさせてしまったりするおそれがあった。
【００６４】
これに対して、本実施形態のおむつ１では、伸縮性シートとして、高収縮領域３３ａと低収縮領域３３ｂとが交互に形成された伸縮性不織布３３が用いられているため、肌触りを良好なものにすることができる。図９Ａ及び図９Ｂは、おむつ１の前身頃部３０において、伸縮性不織布３３が収縮する際の様子について説明する断面模式図である。
【００６５】
図９Ａに示されるように、おむつ１において伸縮性不織布３３が横方向に収縮すると、横方向に隣り合う２つの溶着部２４２,２４２（若しくは２４１,２４１）の間で、図８の場合と同様に肌側シート３１が肌側に向かって湾曲しながら突出し、非肌側シート３２が非肌側に向かって湾曲しながら突出することによって襞ｆ３０が形成される。一方、伸縮性不織布３３の高収縮領域３３ａが横方向に収縮する作用によって、溶着部２４２,２４２の間の領域で、高収縮領域３３ａを構成する繊維が厚さ方向に膨らんだ凸部３３０が形成される。この凸部３３０が厚さ方向において襞ｆ３０を支持しつつクッションとなることから、おむつ１の着用時に、肌側シート３１及び非肌側シート３２による襞ｆ３０が簡単に凹んでしまうことが抑制される。これにより、着用時におむつ１の柔らかさを感じることができる。
【００６６】
さらに、本実施形態では、横方向に隣り合う２つの溶着部２４２,２４２（若しくは２４１,２４１）の横方向における間隔Ｐ２４２（Ｐ２４１）の最小値よりも、高収縮領域３３ａの横方向におけるピッチＬ３３の方が短くなっている（Ｐ２４２＞Ｌ３３，Ｐ２４１＞Ｌ３３）。そのため、横方向に隣り合う２つの溶着部２４２,２４２（２４１，２４１）の間には、必ず低収縮領域３３ｂが１箇所以上含まれ、高収縮領域３３ａが２箇所以上配置されることになる。つまり、溶着部２４２,２４２の間に、凸部３３０が２箇所以上形成されることとなる。図９Ａでは、溶着部２４２,２４２の間に、凸部３３１と、凸部３３２の２つの凸部が形成されている。したがって、凸部３３１及び凸部３３２が２重のクッションとして作用することから、凸部３３０が１つだけ形成されている場合と比較して、肌側シート３１及び非肌側シート３２による襞ｆ３０が簡単に凹んでしまうことをより抑制しやすくなる。
【００６７】
また、図９Ａに示されるように、横方向に隣り合う２つの溶着部２４２,２４２の間の領域において、溶着部２４２と低収縮領域３３ｂとの間の距離は一定ではないため、当該領域に形成される凸部３３１と凸部３３２とでは厚さ方向に膨らむ量が異なる場合が多い。すなわち凸部３３１と凸部３３２とは、厚さ方向における高さが異なって形成される。これにより、クッションに高低差が生じ、肌側シート３１及び非肌側シート３２を厚さ方向に凹ませる力が２段階に緩和されるようになる。例えば図９Ａにおいて、肌側シート３１が肌に接触した場合、高さの高い凸部３３１が第１段階目のクッションとして機能し、高さの低い凸部３３２が第２段階目のクッションとして機能する。したがって、クッション性がより高くなり、おむつ１着用時における肌触りをより良好なものとすることができる。
【００６８】
また、図９Ｂのように、横方向に隣り合う２つの溶着部２４２,２４２の間に低収縮領域３３ｂが少なくとも２箇所配置される場合があり、溶着部２４２,２４２の間に３つの凸部３３３，３３４，３３５が形成されることがある。この場合、クッションが３段階に作用するようなるため、肌側シート３１及び非肌側シート３２による襞ｆ３０がより凹みにくくなる。また、３つの凸部３３３，３３４，３３５のうち、横方向の中央に形成される凸部３３４は溶着部２４２の影響を受けず、厚さ方向に大きく膨らむことから、凸部３３４は他の凸部３３０よりも高さが高くなる。したがって、凸部３３４が形成されている部分では、肌側シート３１及び非肌側シート３２が、他の部分よりも厚さ方向に高く支持されやすくなり、肌側シート３１及び非肌側シート３２による襞ｆ３０の大きさが大きくなる。このような襞ｆ３０が偶さか含まれることにより、前身頃部３０の表面の凹凸が不規則となり、おむつ１着用時の肌触りがよりソフトになる。
【００６９】
但し、図９Ｂの場合、比較的剛性の高い低収縮領域３３ｂが２箇所含まれることにより、溶着部２４２,２４２の間において、着用者に伸縮性不織布３３の硬い感触を抱かせてしまうおそれもある。そこで、本実施形態では、単位面積当たりに、横方向に隣り合う２つの溶着部２４２,２４２の間に低収縮領域３３ｂが２箇所以上含まれる割合が、横方向に隣り合う２つの溶着部２４２,２４２の間に低収縮領域３３ｂが１箇所だけ含まれる割合よりも小さくなるように、間隔Ｐ２４２及びピッチＬ３３が調整されている。これにより、バランスの良い肌触りを実現することができる。
【００７０】
また、図５で説明したように、第１溶着部２４１及び第２溶着部２４２は、それぞれ横方向及び上下方向に所定の間隔を有しつつ、略千鳥状に配置されている。そして、伸縮性不織布３３は、上述したように繊維の配向が不規則であることから、上下方向にも伸縮性を発現する。すなわち、おむつ１の前身頃部３０及び後見頃部４０は横方向のみならず上下方向にも伸縮可能である。したがって、おむつ１の着用時において、胴回り部が着用者の身体形状に応じて横方向及び上下方向に自在に伸縮することにより、着用者の身体にフィットしやすくなる。
【００７１】
＜その他の有効性について＞
本実施形態の前身頃部３０（後見頃部４０）の表面では、溶着部２４１,２４１の間で肌側シート３１及び非肌側シート３２が厚さ方向に突出することによって、襞ｆ３０が形成されることを説明した。襞ｆ３０の横方向における幅は、溶着部２４２,２４２の横方向における間隔Ｐ２４２によって規定され、本実施形態では、横方向に沿って多数の細かい襞ｆ３０が形成されている。一方、おむつ１の胴回り開口１ａにこのような細かい襞が形成されると、着用時における胴回りの通気性が悪化して、着用者に不快感を生じさせるおそれがある。そこで、おむつ１の前身頃３０では、上端領域３００に配置されている複数の糸ゴム３０ａ，３０ａの上下方向の間隔Ｌ３０ａを調整することにより、該上端領域３００（すなわち胴回り開口１ａ）において形成される皺の大きさが襞ｆ３０よりも大きくなるようにしている。
【００７２】
具体的には、糸ゴム３０ａ，３０ａの上下方向の間隔Ｌ３０ａが溶着部２４２,２４２の横方向における間隔Ｐ２４２よりも大きくなるようにする（Ｌ３０ａ＞Ｐ２４２）。前身頃部３０の上端領域３００では、横方向に伸長した糸ゴム３０ａが収縮することによって皺が形成される。このとき、糸ゴム３０ａ，３０ａの配置間隔が狭いと、単位面積当たりに作用する横方向の収縮力が大きくなるため、小さく細かい皺が形成されやすくなる。これに対して、糸ゴム３０ａ，３０ａの間隔Ｌ３０ａを溶着部２４２,２４２の横方向における間隔よりも大きくすれば、少なくとも溶着部２４２,２４２の間に形成される襞ｆ３０よりも大きな皺を形成することができる。これにより、おむつ１の胴回り開口１ａにおける通気性が良好なものとなり、着用者に不快感を与えにくくすることができる。
【００７３】
また、前身頃部３０の上下方向において、伸縮性不織布３３の上端部、つまりおむつ１の上端領域３００により近い部分（すなわち、前身頃胴回り側領域３０１の上端部）における繊維密度は、前身頃胴回り側領域３０１の中央部における繊維密度より高くなっている。なお、ここで言う「繊維密度」とは、各領域における平均の繊維密度のことを言う。これにより、着用者がおむつ１を着用しようとする際に、より繊維密度が高い上端部を持って引き上げても、前身頃部３０が破れたりする等の破損のおそれを軽減することができる。一方、各伸縮性不織布３３のうち下端部側の領域の繊維密度をより低くすることで、湿気がこもりやすい胴回り部において通気性を向上させることができる。
【００７４】
また、前身頃部３０の第２点在領域Ｙの面積（Ｓｙ）に対する、第２点在領域Ｙに設けられた複数の第２溶着部２４２の面積の合計（Ｔｂ）は、端部接合領域３０ｅ（４０ｅ）の面積（Ｓｚ）に対する、端部接合領域３０ｅに形成された端部接合部の面積の合計（Ｔｚ）より小さい（Ｔｂ／Ｓｙ＜Ｔｚ／Ｓｚ）ことが好ましく、Ｔｂ／Ｓｙを７〜１４％程度とすることが好ましい。つまり、単位面積当たりの第２溶着部２４２の面積の合計（Ｒｂ）は、単位面積当たりの端部接合領域３０ｅの面積の合計（Ｒｚ）より小さい（Ｒｂ＜Ｒｚ）。
【００７５】
端部接合領域３０ｅは、前身頃部３０と後身頃部４０とが分離しないように必要十分な接合強度を確保する必要があるため、所定の面積（Ｒｚ）の端部接合部を形成する必要がある。仮に、本体接合領域Ｙにおいて、面積（Ｒｚ）で第２溶着部２４２を設けると、第２溶着部２４２によって、過度に通気性が阻害されてしまう懸念がある。
そのため、単位面積当たりの第２溶着部２４２の面積の合計（Ｒｂ）を、単位面積当たりの端部接合領域３０ｅの面積の合計（Ｒｚ）より小さくして（Ｒｂ＜Ｒｚ）、端部接合領域Ｚにおける接合強度の確保と、本体接合領域Ｙにおける通気性の確保を両立させている。
【００７６】
また、前身頃部３０の第１点在領域Ｘの面積（Ｓｘ）に対する、第１点在領域Ｘに設けられた複数の第１溶着部２４１の面積の合計（Ｔａ）は、前身頃部３０の第２点在領域Ｙの面積（Ｓｙ）に対する、第２点在領域Ｙに設けられた複数の第２溶着部２４２の面積の合計（Ｔｂ）より小さい（Ｔａ／Ｓｘ＜Ｔｂ／Ｓｙ）。つまり、単位面積当たりの第１溶着部２４１の面積の合計（Ｒａ）は、単位面積当たりの第２溶着部２４２の面積の合計（Ｒｂ）より小さい（Ｒａ＜Ｒｂ）。
【００７７】
第２点在領域Ｙにおいては、通気性を確保する必要がある一方で、吸収性本体１０が伸縮性不織布３３によって横方向に縮むことを抑制するために、ある程度の面積（Ｒｂ）の溶着部２４２を設ける必要がある。仮に、汗やムレ等の問題を生じやすい前身頃胴回り側領域３０１においては、通気性が重要であり、第１点在領域Ｘにおいて、第２点在領域Ｙと同じ面積（Ｒｂ）で第１溶着部２４１を設けると、第１溶着部２４１が必要以上に通気性を阻害してしまう懸念がある。
そのため、単位面積当たりの第１溶着部２４１の面積の合計（Ｒａ）を単位面積当たりの第２溶着部２４２の面積の合計（Ｒｂ）より小さくすることで（Ｒａ＜Ｒｂ）、吸収性本体１０が横方向に縮むことを抑制しつつも、おむつ１全体として適切な通気性を確保することができる。
【００７８】
以上、前身頃部３０の肌側シート３１、伸縮性不織布３３、非肌側シート３２、について説明したが、後身頃部４０の肌側シート４１、伸縮性不織布４３、非肌側シート４２についても同様である。
【００７９】
＝＝＝その他＝＝＝
上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。
【００８０】
上記の実施形態では、複数の第１溶着部２４１及び複数の第２溶着部２４２や端部接合領域３０ｅ，４０ｅにおける接合はそれぞれ、超音波溶着による接合手段を用いたがこれに限られない。例えば、熱溶着や融着等の熱や圧力を加えるその他の接合手段を用いても良い。
【００８１】
上記の実施形態では、上端領域３００，４００のうち複数の糸ゴム３０ａ，４０ａが配置された領域では伸縮性不織布３３，４３が配置されていなかったがこれに限られない。例えば、上端領域３００，４００に、複数の糸ゴム３０ａ，４０ａ及び伸縮性不織布３３，４３の両方を配置しても良いし、伸縮性不織布３３，４３のみを配置しても良い。
【００８２】
上記の実施形態では、複数の第１溶着部２４１及び複数の第２溶着部２４２はそれぞれ、均等な間隔で配置されていたがこれに限られない。例えば、複数の第１溶着部２４１及び複数の第２溶着部２４２が、それぞれ不均等な間隔で配置されていても良いし、第１溶着部２４１及び第２溶着部２４２形状自体も、特に制限はない。
【００８３】
上記の実施形態では、伸縮性不織布３３，４３について、弾性を有する熱可塑性エラストマー製繊維として、ポリウレタン系エラストマーを用い、非弾性を有する熱可塑性樹脂性繊維として、ＰＰを用いたがこれに限られない。弾性を有する熱可塑性エラストマー製繊維としてポリスチレン系エラストマー、ポリオレフィン系エラストマー、ポリアミド系エラストマー等であっても良く、非弾性を有する熱可塑性樹脂繊維として、ＰＥ、エチレン―αオレフィン共重合体等のポリオレフィン系樹脂を含む繊維であっても良い。
【００８４】
上記の実施形態では、肌側シート３１，４１及び非肌側シート３２，４２は、ＰＰ繊維のスパンボンド繊維を用いたがこれに限られない。ポリエチレン（ＰＥ）、ポリエステル、ポリアミド等の繊維からなるスパンボンド不織布、ＳＭＳ不織布、エアスルー不織布等を用いても良い。繊維の構造については、単一の熱可塑性樹脂からなる単独繊維に限るものではなく、例えば、芯材がＰＰで鞘材がＰＥの芯鞘構造の複合繊維であっても良く、これら以外の構造の繊維であっても良い。ただし、単一繊維からなる不織布であることが好ましく、肌側シート３１，４１、非肌側シート３２，４２、及び伸縮性不織布３３，４３に用いる熱可塑性樹脂繊維が同じ繊維であることが最も好ましい。同じ成分からなる繊維が溶融されて固化されることによって、溶着がより強固になるからである。
【００８５】
上記の実施形態では、伸縮性不織布３３，４３の繊維密度を、脚回り領域２５の方が上端領域３００，４００よりも低くすることにしたがこれに限られない。伸縮性不織布３３，４３の繊維密度は、全域に亘って均一であっても良い。
【００８６】
上記の実施形態に係るおむつ１は、大人を着用対象としたが、これに限定されるものではなく、新生児、乳児、幼児等の子供を着用対象としても良い。
【符号の説明】
【００８７】
１  おむつ（使い捨ておむつ）、１ａ  胴回り開口、１ｂ  脚回り開口、
１０  吸収性本体、１１  吸収性コア、
１２  トップシート、１３  バックシート、
２０  外装体、２５  脚回り領域、
３０  前身頃部、３０ａ  糸ゴム、３０ｅ  端部接合領域、
３１  肌側シート、３２  非肌側シート、
３３  伸縮性不織布、３３ａ  高収縮領域、３３ｂ  低収縮領域、
３００  上端領域、３０１  前身頃胴回り側領域、３０２  前身頃股下側領域、
３３０  凸部、３３１〜３３５  凸部、
４０  後身頃部、４０ａ  糸ゴム、４０ｅ  端部接合領域、
４１  肌側シート、４２  非肌側シート、４３  伸縮性不織布、
４００  上端領域、４０１  後身頃胴回り側領域、４０２  後身頃股下側領域、
５０  股下部、５１  不織布、５２  不織布、
９１  肌側シート、９２  非肌側シート、９３  伸縮フィルム、
１００  ギア加工装置、
１０１  ギアロール、１０１ｍ  山部、      １０１ｖ  谷部、
１０２  ギアロール、１０２ｍ  山部、      １０２ｖ  谷部、
２４１  第１溶着部（接合部）、２４２  第２溶着部（接合部）、２４５  溶着部、
Ｘ  第１点在領域（吸収性本体接合領域）、
Ｙ  第２点在領域、
Ｓａ１１  第１部分、Ｓａ１２  第２部分、
Ｌ３３  ピッチ（高収縮領域３３ａ）、
Ｐ２４１  間隔（第１溶着部２４１）、Ｐ２４２  間隔（２４２  第２溶着部）、
Ｌ３０ａ  間隔（糸ゴム３０ａ）
【図１】
2018000478.tif 000003
【図２】
2018000478.tif 000004
【図３】
2018000478.tif 000005
【図４】
2018000478.tif 000006
【図５】
2018000478.tif 000007
【図６】
2018000478.tif 000008
【図７】
2018000478.tif 000009
【図８】
2018000478.tif 000010
【図９】
2018000478.tif 000011